(57)【特許請求の範囲】
【請求項１】
入賞装置本体内へ遊技球を案内する案内部を有する可動片と、
前記可動片の基端部に突設された軸棒と、
前記軸棒に形成された歯車部と、
前記軸棒が軸受孔に挿入されて前記可動片を軸支するとともに、前記軸受孔と所定一部が直交して重なる挿入孔が穿孔されたベースブロックと、
円筒状に形成されて前記ベースブロックの前記挿入孔に一端が固定されるとともに、入賞装置本体に穿孔された軸孔に軸挿され、開閉用駆動源の駆動力により回動されて前記ベースブロックとともに前記可動片を回動して開閉動作させる羽根開閉用軸と、
前記羽根開閉用軸の中空軸孔内に挿通されるとともに、先端部に設けられた連動部又はウォームが前記挿入孔内に配置されて前記歯車部に噛合され、回動用駆動源の駆動力により移動又は回動されて前記可動片を前記羽根開閉用軸と異なる方向の軸芯の回りに回動させ、前記案内部を傾斜する羽根回動用軸と、
を有することを特徴とする遊技球の入賞装置。
【請求項２】
前記可動片の少なくとも開状態位置の上下部に、前記可動片から落ちた球を通すための凹部空間を形成する逃げ溝部を形成したことを特徴とする請求項１記載の遊技球の入賞装置。
【発明の詳細な説明】
【０００１】
【発明の属する技術分野】
この発明は、パチンコ機の遊技盤上等に設置され、開閉動作可能に装着した可動片を開動作させている間に、多数の遊技球を入賞させられるようにした、遊技球の入賞装置に関する。
【０００２】
【従来の技術】
従来の遊技球の入賞装置には、パチンコ機において、いわゆる羽根物又は飛行機タイプと呼ばれる第２種電動役物がある。この第２種電動役物は、パチンコ機の遊技盤の中央部に配置され、その下方に設けられた始動口に遊技球が入った場合に、第２種電動役物に装着した可動片を羽根の如く開いたり、又はスライドして開くように構成されている。そして、可動片が開かれると、遊技盤上の可動片が開いた範囲内に落ちて来た遊技球は、この可動片上を転動して第２種電動役物の入賞口内に入るよう案内されるので、多数の遊技球を入賞可能とする。
【０００３】
【発明が解決しようとする課題】
上述のような従来の第２種電動役物の構成では、羽根の如く開いた可動片上に順次落ちて来た単位個数の遊技球を案内して入賞口へ入れた個数と、外部へはじき出してしまう個数との比である玉寄せの割合は変動しない。
【０００４】
このため、第２種電動役物の入賞口へ遊技球が入賞する個数を加減調整しようとする場合には、可動片の開いている時間を調整するか、又は可動片を開閉動作させる回数を調整して行っていた。
【０００５】
しかし、玉寄せの割合は大きいので、開状態の可動片上へ落ちてくる遊技球は殆ど入賞してしまうから、可動片を開状態にしておく時間は極めて短時間で回数も少なく設定されるのが現状であった。
【０００６】
このように可動片が短時間で少ない回数しか開かない場合には、パチコン機における第２種電動役物に係る遊技上の入賞動作も単調になり、パチンコ機の遊技性を向上する上で一種の障害となっていた。
【０００７】
本発明は上述の点に鑑み、開閉可能な可動片による玉寄せの割合を変動制御可能にし、入賞動作を複雑化して遊技性を向上できるようにした遊技球の入賞装置を新たに提供することを目的とする。
【０００８】
【課題を解決するための手段】
本発明の請求項１に係る遊技球の入賞装置は、入賞装置本体内へ遊技球を案内する案内部を有する可動片と、前記可動片の基端部に突設された軸棒と、前記軸棒に形成された歯車部と、前記軸棒が軸受孔に挿入されて前記可動片を軸支するとともに、前記軸受孔と所定一部が直交して重なる挿入孔が穿孔されたベースブロックと、円筒状に形成されて前記ベースブロックの前記挿入孔に一端が固定されるとともに、入賞装置本体に穿孔された軸孔に軸挿され、開閉用駆動源の駆動力により回動されて前記ベースブロックとともに前記可動片を回動して開閉動作させる羽根開閉用軸と、前記羽根開閉用軸の中空軸孔内に挿通されるとともに、先端部に設けられた連動部又はウォームが前記挿入孔内に配置されて前記歯車部に噛合され、回動用駆動源の駆動力により移動又は回動されて前記可動片を前記羽根開閉用軸と異なる方向の軸芯の回りに回動させ、前記案内部を傾斜する羽根回動用軸と、を有することを特徴とし可動片を開状態としたときに、可動片の案内部を傾斜させ、この案内部上を移動する遊技球が所要の確率で零れ落ちるようにし、可動片による玉寄せの割合を変動する。
【０００９】
請求項２に係る発明は、請求項１記載の遊技球の入賞装置において、可動片の少なくとも開状態の位置の上下部に、可動片から落ちた球を通すための凹部空間を形成する逃げ溝部を形成したことを特徴とし、可動片から零れ落ちた遊技球を障害なく下方へ落下させる。
【００１０】
【発明の実施の形態】
本発明の第１実施の形態に係る遊技球の入賞装置は、図１〜図１０に示されている。この入賞装置は、図１に示す如く、入賞装置本体１０の中央下部に特別入賞口１２と通常入賞口１３が設けられている。また、入賞装置本体１０の両横中央部にはそれぞれ可動片１４が装着されている。さらに、図２にも示すように入賞装置本体１０の両横部分には、それぞれ可動片１４の回転軸を中心とし、可動片１４の長さを半径とする半円形状で遊技盤１５の表面からの深さが遊技球の直径より深い凹部空間を形成する逃げ溝部１６が形成されている。
【００１１】
各可動片１４は、２軸回動機構により直交する２本の軸の回りにそれぞれ回動制御可能に装着されている。このため、入賞装置本体１０の各所定位置にそれぞれ軸孔１８が穿孔されている。この軸孔１８には、円筒状に形成した羽根開閉用軸２０が軸挿されている。この羽根開閉用軸２０の中空軸孔内には、羽根回動用軸２２が挿通されている。なお、羽根開閉用軸２０には、抜け止め２１が付けられている。
【００１２】
羽根開閉用軸２０の一方の端には、ベースブロック２４が固定されている。ベースブロック２４は、連動機構を構成するもので図４にも示すように角柱の一方の側面部が断面半円形状に形成されている。このベースブロック２４には、その半円形端面部分の中央部を貫通する挿入孔２６と、その側面中央部を貫通し、前記挿入孔２６と所定一部が直交して重なる軸受孔２８とが穿孔されている。そして、挿入孔２６の一部に羽根開閉用軸２０の一端が嵌入固定され、この羽根開閉用軸２０の回動に従って一体的にベースブロック２４が回動される。なお、ベースブロック２４の回動を防げないよう、逃げ溝部１６内のベースブロック２４の回動範囲に逃げ凹部１７が形成されている。
【００１３】
羽根回動用軸２２の一方の端部には、図４及び図５に示すように環状の山部と谷部とが複数重なった連動部３０が設けられている。
【００１４】
この連動部３０は挿入孔２６内に摺動自在に挿入され連動機構が構成されている。
【００１５】
また、可動片１４は図１及び図４にも示すように、その横断面が縦長長円の上部を遊技球案内溝１４Ａとして円弧溝状に切欠した断面形状の柱体に形成され、その先端部の図１で下側に当たる側面角部が４分の１球形状に形成されている。なお、可動片１４が図１に実線で示すように開いた状態で、遊技球の転動を案内するための案内部である案内溝１４Ａには自由端からベースブロック２４にかけて下る匂配が設けてある。さらに、可動片１４の基端部には軸棒３２が可動片１４の長さ方向に沿って突設されている。軸棒３２の中間部には歯車部３４が形成されている。この軸棒３２は軸受孔２８に挿入され軸支されるとともに、図５にも示す如く歯車部３４が連動部３０に噛合されている。また、ベースブロック２４の軸受孔２８から突出した端部には、抜け止め部材３６が嵌合され、ベースブロック２４から可動片１４の軸棒３２が抜け落ちないようにされている。図２及び図３に示すように羽根開閉用軸２０の他方の端部には、連動部材３８が横に向けて突設されている。この連動部材３８の自由端部には、案内溝４０が突設されている。そして、駆動源である開閉用のソレノイド装置４２の伸縮ロッド４４先端部に横に突設したピン４６を、案内溝４０に摺動自在に挿入し、この開閉用ソレノイド装置４２がロッド４４を伸縮する動作に連動し、連動部材３８と一体の羽根開閉用軸２０、さらにはベースブロック２４を回動操作する。
【００１６】
羽根回動用軸２２の他方の端部には、ピン４８を横に向けて突設する。そして、羽根回動用軸２２を挟むように、一対の屈曲した連動部材５０を配置する。この連動部材５０の一方の自由端部に穿設した各案内溝５２にはピン４８の各端部を摺動自在に挿入する。
【００１７】
一対の連動部材５０の屈曲部には、図示しない構造部材に軸支された軸ピン５４を軸挿し、軸ピン５４を軸に連動部材５０が回動自在に軸支されている。
【００１８】
この一対の連動部材５０の他方の自由端部には、それぞれ案内溝５６を穿設する。そして、駆動源である回動用のソレノイド装置５８のロッド６０先端から横に突設したピン６２の各端部を対応する各案内溝５６内に摺動自在に挿入する。このように、構成することにより、回動用ソレノイド装置５８がロッド６０を伸縮する動作に連動し、連動部材５０を軸ピン５４の回りに回動し、羽根回動用軸２２をその軸線方向に摺動する。すると羽根回動用軸２２とともに、連動部３０が摺動し図５に示すように、この連動部３０に噛合する歯車部３４を回動することによって、この歯車部３４と一体に、軸棒３２と可動片１４とを回動する。
【００１９】
また、入賞装置本体１０の図で上部には図の上に凸となるよう湾曲した屋根状の鎧部１００が形成されており、この鎧部１００上へ落ちた遊技球を左右に振り分けて落すようになっている。
【００２０】
この入賞装置本体１０には、鎧部１００の両端にそれぞれ接続された囲壁１０２が形成されている。各囲壁１０２の各可動片１４が閉状態で対応する位置は、それぞれ切欠され遊技球を通す通路１０Ａが形成されている。
【００２１】
入賞装置本体１０の鎧部１００と囲壁１０２とに囲まれた内部には、図１０にも示すように遊技盤１５の裏側へ向けて凹んだ凹室１０４が形成されている。この凹室１０４内には、その中間部を横切るように傾斜仕切板１０６が配置されている。この傾斜仕切板１０６は、矩形板状で、その凹室１０４寄りの長側辺と凹室１０４の平面との間に、遊技球を通す空間が設けられている。さらに傾斜仕切板１０６は凹室１０４側へ向けて下向するように配置されている。凹室１０４の下部には、遊技盤の前方へ向けて下向する傾斜底板部１０８が設けられている。入賞装置本体１０には、傾斜底板部１０８上を転動してきた遊技球を受けて、特別入賞口１２又は通常入賞口１３へ落とし込むための前飾板１１０が設けられている。
【００２２】
図１にも示すように、特別入賞口１２と通常入賞口１３との間には、それぞれ仕切部材１１２が設けられている。なお、入賞装置本体１０の上下部位には、それぞれ取付孔１１４が設けられている。
【００２３】
次に上述のように構成した本第１実施の形態に係る遊技球の入賞装置の作用、及び動作について説明する。この入賞装置をパチンコ機の遊技盤に装着して使用する場合には、まず遊技開始時において入賞装置本体１０は、その２つの可動片１４を図１に２点鎖線で示す如く、各々図の上方に向けて起立させ、凹室１０４内へパチンコ球が入るための両側部の通路１０Ａを塞いでいる。この状態で遊技者が図示しないパチンコ機の遊技盤上へ遊技球を打ち込んで遊技を進めるうちに、遊技球が始動口に入ると、これを検出したパチンコ機の制御部は、まず通常当り動作を行う。
【００２４】
すなわち、図示しない制御部からの指令で開閉用のソレノイド装置４２を駆動し、伸縮ロッド４４を図３に示す状態まで押し出すと連動部材３８が角９０度程度、図の矢印Ａ方向に回動された状態となる。この動作によって、連動部材３８と一体的に羽根開閉用軸２０を回動し、ベースブロック２４、及び可動片１４を図１に２点鎖線で示す閉状態から実線で示す開状態まで回動する。
【００２５】
これと同時に、図示しない制御部からの指令で回動用のソレノイド装置５８を駆動し、伸縮ロッド６０を押し出す。すると、この動作に連動して、連動部材５０が図２に向かって時計方向に回動し、羽根回動用軸２２を図の矢印Ｂ方向へ押し動かす。これにより、ベースブロック２４部分では、図５に示すように連動部３０の矢印Ｂ方向への動作によってこれに噛合する歯車部３４が図５に向かって時計方向に所定の角度回動する。
【００２６】
この通常当りの開状態では、図８及び図９に示す如く可動片１４の案内溝１４Ａが傾斜した状態となっていて、遊技盤の上から落下してきた遊技球６４が可動片１４の案内溝１４Ａ上に載った場合には、ある遊技球６４は案内溝１４Ａの下り匂配に沿って転動し通路１０Ａを通り特別入賞口１２又は通常入賞口１３へ送られる。
【００２７】
また、案内溝１４Ａ上に載った他の遊技球６４は、図９に示す如く傾斜した案内溝１４Ａから逃げ溝部１６内へ入り、この逃げ溝部１６を通って通常入賞口１３の横の外れ通路６６を通って遊技盤上へ放出される。
【００２８】
よって、通常当たりの開状態では可動片１４の玉寄せの割合は、可動片１４の羽根回動用軸２２を中心軸とする回動角度に応じて比較的低く設定されている。
【００２９】
上述のように開かれた可動片１４は、所定の短い時間経過後閉じられる。このため、図示しない開閉用のソレノイド装置４２を駆動し、前述の可動片１４の開動作とは逆の動作により可動片１４が図１に２点鎖線で示す位置まで閉動作される。これとともに、制御部からの指令で回動用のソレノイド装置５８を駆動し、その伸縮ロッド６０を引き込むことにより、前述の可動片１４の開動作とは逆の動作により、図９に示す傾斜した状態から図７に示す水平状態に戻す。
【００３０】
この通常当り時における可動片１４の開閉動作は、遊技球が入球した始動口の種類により１回、又は２回行われる。そして、通常当り時に遊技球が通常入賞口１３に入ると賞球が払い出され、特別入賞口１２に入ると、賞球払い出しとともに大当り動作が行われる。この大当り動作の場合には図示しない制御部からの指令で開閉用のソレノイド装置４２を駆動し、前述の通常当り動作の時と同様に可動片１４を図１の２点鎖線の位置から実線で示す位置まで回動して開状態とする。
【００３１】
この大当りの開状態では、図６及び図７に示すように案内溝１４Ａが水平状態となっていて、遊技盤の上から落下してきた遊技球６４が可動片１４の案内溝１４Ａに載ると、案内溝１４Ａの下り匂配に沿って転動し、通路１０Ａを通り、特別入賞口１２又は通常入賞口１３へ送られる。すなわち、大当り開状態では可動片１４の玉寄せの割合は極めて高く設定されている。
【００３２】
上述のように開状態とされた可動片１４は所定の短い時間経過した後閉じられる。この可動片１４の閉動作は、制御部からの指令で開閉用のソレノイド装置４２を駆動し、伸縮ロッド４４を引き込むことにより、前述の可動片１４の開動作とは逆の動作により行い、図１の実線位置にある可動片１４を、図に２点鎖線で示す閉位置に戻すことにより行われる。
【００３３】
この大当りの動作は、可動片１４の大当りの開閉動作を最大１８回、若しくは遊技球が１０球入賞するまで、又は再び特別入賞口１２へ入賞するまで継続される。そして、再び特別入賞口１２へ入賞した場合には、大当りの動作を初めから開始する。但し、上述の大当りの動作が１５ラウンド繰り返されると、可動片１４の大当りの開閉動作は完了する。
【００３４】
また、入賞装置本体１０の両横にそれぞれ設けられた各逃げ溝部１６は、可動片１４が開位置又は閉位置のいずれかにある場合でも、遊技盤上を落下して来た遊技球６４が逃げ溝部１６内へ入ると、これを外れ通路６６を通じて遊技盤上へ放出する。
【００３５】
次に、本発明の第２実施の形態について図１１、及び図１２によって説明する。本第２実施の形態は、羽根回動用軸２２を、その軸線方向に移動する機構を改良したものである。このため、羽根回動用軸２２の図１１に向かって右側端部には、ラック６８が一体的に設けられている。そして、図１２にも示すように駆動源である駆動モータ７０の出力軸７２に設けたピニオン７４が、ラック６８に噛合されている。  上述のように構成された機構では、駆動モータ７０を駆動することにより、出力軸７２を所要回転角だけ回動する。すると、ピニオン７４に噛合するラック６８が図の矢印Ｂ方向へ移動し、これと一体の羽根回動用軸２２及び連動部３０を移動する。これにより連動部３０に噛合する歯車部３４が所要角回動され、可動片１４が傾斜する。このように、駆動モータ７０の出力軸７２の回転角度と可動片１４の傾斜角が対応しているので、駆動モータ７０の回動角度を変更することにより可動片１４を所望の角度に傾動調整できる。
【００３６】
なお、本第２実施の形態における以上詳述した以外の構成、作用、及び効果は、前述した第１実施の形態と同様であるので、同一部材には同一符号を付すこととし、その詳細な説明を省略する。
【００３７】
次に本発明の第３実施の形態について、図１３及び図１４によって説明する。本第３実施の形態は、羽根回動用軸２２を介して可動片１４を回動する機構を改良したものである。このため、羽根回動用軸２２の図に向かって右端部分には、従動歯車７６が固着されている。そして、駆動源である駆動モータ７８の出力軸８０に設けた駆動歯車８２が従動歯車７６に噛合している。
【００３８】
また、羽根回動用軸２２の図１３に向かって左側端部位置には、図１４にも示すようにウォーム８４が一体的に設けられている。このウォーム８４は、可動片１４の軸棒３２に形成されたウォーム歯車８６に噛合されている。
【００３９】
上述のように構成された機構では、駆動モータ７８を駆動することにより、出力軸７２を所要回転角だけ回動する。すると、駆動モータ７８の回転は、駆動歯車８２から従動歯車７６に伝達し、羽根回動用軸２２を回動し、これと一体に回動するウォーム８４からウォーム歯車８６に伝達する。
【００４０】
よって、ウォーム歯車８６を設けた軸棒３２と一体の可動片１４が回動する。このように、駆動モータ７８の出力軸７２の回転量と可動片１４の回転量が対応しているので、駆動モータ７８の回転量を制御することにより、可動片１４の回転量を任意に調整できる。また、本実施の形態の機構では、歯車８２、７６とウォーム８４及びウォーム歯車８６とを用いて回転力伝達機構を構成しているので、駆動モータ７８を一方向に回転させて可動片１４を一方的に何回転でも回転させることができる。このため、可動片１４を傾動動作させた後、その傾動させた回転方向に続けて回転させることにより案内溝１４Ａを水平位置に復帰させることもできる。
【００４１】
なお、本第３実施の形態における以上詳述した以外の構成、作用、及び効果は、前述した第１実施の形態と同様であるので同一部材には同一符号を付すこととし、その詳細な説明を省略する。
【００４２】
次に本説明の第４実施の形態について図１５及び図１６によって説明する。本第４実施の形態は、可動片１４が遊技盤１５の凹部内に配置され、この遊技盤１５の凹部に導入された遊技球６４が可動片１４によって特別入賞口１２に玉寄せされる割合を変更可能に構成されている。
【００４３】
このため、遊技盤１５における入賞装置本体１０の両横部分がそれぞれ図示するように半円形状に切欠され、この切欠部に遊技球６４の直径より深い半円形状の凹部を作る底面部材８８が配置されている。この底面部材８８の底面上にはベースブロック２４に軸支された可動片１４が、底面部材８８が作る凹部内を約角９０度程度回動可能に装着されている。さらに、この可動片１４は、その上面の案内溝１４Ａが水平位置から反時計方向に所要回転量回動し、又は逆方向に回動するように構成されている。
【００４４】
また、遊技盤１５における底面部材８８より上方位置には、入球口９０を配置する。この入球口９０には、その底部から底面部材８８が作る凹部内上部位置に連通する通路９２が設けられ、この入球口９０に入った遊技球６４が、開状態にある可動片１４上に落ちるように構成されている。
【００４５】
次に上述のように構成された本第４実施の形態の入賞装置における作用の要部を説明する。まず可動片１４が大当りの開状態では、案内溝１４Ａは水平位置にあるので、入球口９０に入り通路９２を通って可動片１４の案内溝１４Ａ上に落ちた遊技球６４は高い玉寄せの確率で特別入賞口１２又は通常入賞口１３へ送られる。
【００４６】
また、可動片１４が通常当りの開状態では、案内溝１４Ａが図示するように反時計方向に所要量回動して傾斜しているので、入球口９０から通路９２を通って可動片１４の案内溝１４Ａ上に落ちた遊技球６４は、あるものは案内溝１４Ａに沿って特別入賞口１２又は通常入賞口１３へ入り、他のものは傾斜した案内溝１４Ａから遊技盤１５の前面ガラス９４側へ転げ落ち、通常入賞口１３の横の外れ通路６６を通って遊技盤１５上へ放出される。
【００４７】
よって可動片１４が通常当りの開状態では、可動片１４の玉寄せの割合は可動片１４の案内溝１４Ａの回転傾斜角度に応じて比較的低く設定されている。
【００４８】
なお、本第４実施の形態における以上詳述した以外の構成、作用、及び効果は、前述した第１、第２、第３実施の形態と同様であるので、同一部材には同一符号を付すこととし、その詳細な説明を省略する。
【００４９】
【発明の効果】
本発明は、開閉動作する可動片の遊技球を案内する案内溝が傾斜して案内溝から遊技球が零れ落ち得るように可動片を回動制御可能にしたので、可動片により遊技球を入賞させるよう案内する玉寄せの割合を変動制御できる。これにより、可動片の案内溝により案内される遊技球の入賞動作を複雑にし、玉寄せの割合を変動させることにより、遊技球の遊技性を向上できるという効果がある。
【図面の簡単な説明】
【図１】本発明の第１実施の形態に係る遊技球の入賞装置部分を示す要部正面図である。
【図２】前記図１のII−II線による縦断面図である。
【図３】本発明の第１実施の形態に係る駆動用の装置部を示す背面図である。
【図４】本発明の第１実施の形態に係る可動片用の２軸回動機構部分を示す分解傾斜図である。
【図５】本発明の第１実施の形態に係る前記２軸回動機構部分を示す要部縦断面図である。
【図６】本発明の第１実施の形態に係る可動片の大当り開状態を示す要部正面図である。
【図７】前記図６のVII −VII 線による縦断面図である。
【図８】本発明の第１実施の形態に係る可動片の通常当りの開状態を示す要部正面図である。
【図９】前記図８のIX−IX線による縦断面図である。
【図１０】前記図１のＸ−Ｘ線による要部縦断端面図である。
【図１１】本発明の第２実施の形態に係る遊技球の入賞装置要部を示す縦断面図である。
【図１２】本発明の第２実施の形態に係る駆動用の装置部を示す背面図である。
【図１３】本発明の第３実施の形態に係る遊技球の入賞装置要部を示す縦断面図である。
【図１４】本発明の第３実施の形態に係る可動片用の２軸回動機構部分を示す要部拡大縦断面図である。
【図１５】本発明の第４実施の形態に係る遊技球の入賞装置部分を示す要部正面図である。
【図１６】前記図１５のXVI-XVI 線による縦断面図である。
【符号の説明】
１０    入賞装置本体
１４    可動片
１４Ａ  案内溝（案内部）
１６    逃げ溝部
２０    羽根開閉用軸
２２    羽根回動用軸
２４    ベースブロック
２６    挿入孔
２８    軸受孔
３０    連動部
３２    軸棒
３４    歯車部
３８    連動部材
４０    案内溝
４２    ソレノイド装置（駆動源）
５０    連動部材
５２    案内溝
５６    案内溝
５８    ソレノイド装置（駆動源）
７０    駆動モータ
７２    出力軸
７４    ピニオン
７６    従動歯車
７８    駆動モータ
８０    出力軸
８２    駆動歯車
８４    ウォーム
８６    ウォーム歯車
【図１】
0003693715.tif 000002
【図２】
0003693715.tif 000003
【図３】
0003693715.tif 000004
【図４】
0003693715.tif 000005
【図５】
0003693715.tif 000006
【図６】
0003693715.tif 000007
【図７】
0003693715.tif 000008
【図８】
0003693715.tif 000009
【図９】
0003693715.tif 000010
【図１０】
0003693715.tif 000011
【図１１】
0003693715.tif 000012
【図１２】
0003693715.tif 000013
【図１３】
0003693715.tif 000014
【図１４】
0003693715.tif 000015
【図１５】
0003693715.tif 000016
【図１６】
0003693715.tif 000017